(57)【要約】【課題】アンテナモジュールの通信特性を損なうことなく、小型、薄型化を実現し、狭小化されたスペースにも搭載可能なアンテナモジュールを用いた電子機器を提供する。【解決手段】面状に巻回されたアンテナコイル１２と、アンテナコイル１２の少なくとも一部と重畳する磁性シート１３とを有するアンテナモジュール１を備える。そして、アンテナコイル１２は、屈曲され、その屈曲部１１ａから、アンテナコイル１２に流れる電流が同一方向である一方側１２ａを含む面が、筐体の内部構造物１０の側面１０ａに沿って近接するように配置され、かつ、一方側を流れる電流の向きとは逆方向の電流が流れる他方側１２ｂを含む面が、磁性シート１３に重畳するように配置され、磁性シート１３は、アンテナコイルの他方側１２ｂよりもリーダライタ１２０から遠い位置に配置される。【選択図】図２
2015046768.tif 000002
【特許請求の範囲】
【請求項１】
電子機器に組み込まれて、外部機器と電磁界信号を介して通信するアンテナ装置であって、面状に巻回されたループコイルと、磁性材料により形成され、該ループコイルの少なくとも一部と重畳するシート状の磁性シートとを有するアンテナ装置を備え、
上記ループコイルは、屈曲され、その屈曲された位置から、該ループコイルに流れる電流が同一方向である一方側を含む面が、筐体の内部構造物の側面に沿って近接するように配置され、かつ、上記一方側を流れる電流の向きとは逆方向の電流が流れる他方側を含む面が、上記磁性シートに重畳するように配置され、
上記磁性シートは、上記ループコイルの他方側よりも上記外部機器から遠い位置に配置されることを特徴とする電子機器。
【請求項２】
上記内部構造物は、一部又は全部が金属体である請求項１記載の電子機器。
【請求項３】
上記ループコイルの他方側は、上記外部機器と対向する面から所定の角度をもって屈曲されていることを特徴とする請求項１又は２記載の電子機器。
【発明の詳細な説明】
【技術分野】
【０００１】
本発明は、ループコイルと磁性シートとを備えたアンテナモジュールが内蔵された電子機器に関する。
【背景技術】
【０００２】
近年の無線通信機器においては、電話通信用アンテナ、ＧＰＳ用アンテナ、無線ＬＡＮ／ＢＬＵＥＴＯＯＴＨ（登録商標）用アンテナ、さらにはＲＦＩＤ（Radio Frequency Identification）といった複数のＲＦアンテナが搭載されている。これらに加えて、非接触充電の導入に伴って、電力伝送用のループコイルも搭載されるようになってきた。非接触充電方式で用いられる電力伝送方式には、電磁誘導方式、電波受信方式、磁気共鳴方式等が挙げられる。これらは、いずれも１次側コイルと２次側コイル間の電磁誘導や磁気共鳴を利用したものであり、たとえば非接触充電のＱｉ規格やＲＦＩＤのＮＦＣ（Near Field Communication）規格では、電磁誘導を利用している。
【０００３】
これらのアンテナは、アンテナ単体で目的の周波数において最大の特性が得られるように設計されていても、実際に電子機器に実装されると、目的の特性を得ることは困難である。これは、アンテナ周辺の磁界成分が周辺に位置する金属等と干渉（結合）し、アンテナコイルのインダクタンスが実質的に減少するために、共振周波数がシフトしてしまうことによる。また、インダクタンスの実質的減少によって、受信感度が低下してしまう。これらの対策として、アンテナコイルとその周辺に存在する金属との間にフェライト等の磁性材料からなる磁気シールド材を介在させることによって、アンテナコイルから発生した磁束を磁気シールド材に集めることによって、金属による干渉を低減させることができる。
【先行技術文献】
【特許文献】
【０００４】
【特許文献１】特開２００５−３０３５４１号公報
【発明の概要】
【発明が解決しようとする課題】
【０００５】
携帯端末機器等の電子機器の小型化、高機能化による部品点数の増大、消費電力の増加によるバッテリ容量の増加等に伴い、電子機器筐体内において、上述のようなアンテナモジュールを搭載するのに割り当てられるスペースは極めて小さくなってきている。そこで、ＲＦＩＤ用のアンテナモジュールや非接触充電用の充電モジュールを狭小化されたスペースに搭載するために、モジュールの小型化・薄型化の要求が強まっている。
【０００６】
特許文献１に記載されているループアンテナは、携帯電話機等の通信装置の筐体内の隙間にアンテナを配置するため、その形状を一定にすることが困難となり、インダクタンスの変化量が大きくなるため、共振周波数の変動が大きいという問題がある。特に、可撓性ケーブルでアンテナを形成した場合には、配線間の分布容量を調整することが困難なため、共振周波数の調整に多大な工数が必要となるという問題がある。
【０００７】
そこで、本発明は、アンテナモジュールの特性を損なうことなく、小型、薄型化を実現し、狭小化されたスペースにも搭載可能なアンテナモジュールを用いた電子機器を提供することを目的とする。
【課題を解決するための手段】
【０００８】
上述した課題を解決するために、本発明に係る電子機器は、電子機器に組み込まれて、外部機器と電磁界信号を介して通信するアンテナ装置であって、面状に巻回されたループコイルと、磁性材料により形成され、ループコイルの少なくとも一部と重畳するシート状の磁性シートとを有するアンテナ装置を備える。そして、ループコイルは、屈曲され、その屈曲された位置から、ループコイルに流れる電流が同一方向である一方側を含む面が、筐体の内部構造物の側面に沿って近接するように配置され、かつ、一方側を流れる電流の向きとは逆方向の電流が流れる他方側を含む面が、磁性シートに重畳するように配置され、磁性シートは、ループコイルの他方側よりも外部機器から遠い位置に配置される。
【０００９】
好ましくは、電子機器の筐体内の内部構造物は、一部又は全部が金属体である。
【発明の効果】
【００１０】
本発明によれば、アンテナコイルが屈曲部で屈曲しており、アンテナコイルの一方側を含む面が、内部構造物の側面を沿うように近接し又は接触して配置され、アンテナコイルの他方側を含む面が、磁性シートに重畳するように配置されるので、アンテナモジュールの特性を損なうことなく、薄型化を実現し、狭小化されたスペースにも搭載可能となる。
【００１１】
また、本発明では、磁性シートが、金属を含む内部構造物の側面の近傍に配置されることで、強磁界領域における多くの磁束を効率よく引き込み、アンテナモジュールの特性を維持、向上させることができる。
【図面の簡単な説明】
【００１２】
【図１】本発明が適用された一実施の形態に係る電子機器を用いた無線通信システムの概略構成を示す斜視図である。
【図２】本発明の一実施の形態に係る電子機器の筐体の内部におけるアンテナモジュールの配置例を示す図であり、（Ａ）は斜視図、（Ｂ）は（Ａ）図のＡ−Ａ’線における断面図である。
【図３】本発明の一実施の形態に係る電子機器の筐体の内部におけるアンテナモジュールの配置の変形例を示す図であり、（Ａ）は斜視図、（Ｂ）は（Ａ）図のＢ−Ｂ’線における断面図である。
【図４】電子機器の筐体において、アンテナモジュールと内部構造物との位置関係によって本発明の動作原理を説明するための断面図である。
【図５】本発明の一実施の形態に係る電子機器の筐体の内部におけるアンテナモジュールの配置の他の変形例を示す断面図である。
【図６】参考例の構成を示す斜視図である。
【図７】実施例の構成を示す斜視図である。
【図８】実施例及び参考例の結合係数とリーダライタの中心からの移動距離の関係を示すグラフである。
【発明を実施するための形態】
【００１３】
以下、本発明が適用された電子機器について、図面を参照しながら詳細に説明する。なお、本発明は、以下の実施形態のみに限定されるものではなく、本発明の要旨を逸脱しない範囲内において種々の変更が可能であることは勿論である。また、図面は模式的なものであり、各寸法の比率等は現実のものとは異なることがある。具体的な寸法等は以下の説明を参酌して判断すべきものである。また、図面相互間においても互いの寸法の関係や比率が異なる部分が含まれていることはもちろんである。
【００１４】
［近距離無線通信システム］
本発明が適用されたアンテナモジュール１は、携帯電話機等の電子機器に組み込まれるものであって、近距離無線通信機能を実現するものである。具体的に、本発明が適用されたアンテナモジュール１は、図１に示すように、たとえば携帯電話機１３０の筐体１３１内部に組み込まれ、アンテナモジュール１は、ＲＦＩＤ用の無線通信システム１００を構成する要素として使用される。
【００１５】
無線通信システム１００は、リーダライタ１２０が、アンテナモジュール１とともに携帯電話機１３０に組み込まれた通信処理部に対してアクセスするものである。ここで、アンテナモジュール１とリーダライタ１２０とは、３次元直交座標系ｘｙｚのｘｙ平面において互いに対向するように配置されているものとする。
【００１６】
リーダライタ１２０は、ｘｙ平面において互いに対向するアンテナモジュール１のアンテナコイル１２に対して、ｚ軸方向に磁界を発信する発信器として機能し、具体的には、アンテナコイル１２に向けて磁界を発信するアンテナ１２１と、メモリ等の回路要素を含む通信処理部と通信を行う制御基板１２２とを備える。
【００１７】
すなわち、リーダライタ１２０は、アンテナ１２１と電気的に接続された制御基板１２２が配設されている。この制御基板１２２には、１つ又は複数の集積回路チップ等の電子部品からなる制御回路が実装されている。この制御回路は、アンテナコイル１２を介してメモリモジュールから受信されたデータに基づいて、各種の処理を実行する。たとえば、制御回路は、メモリモジュールに対してデータを送信する場合、データを符号化し、符号化したデータに基づいて、所定の周波数（たとえば、１３．５６ＭＨｚ）の搬送波を変調し、変調した変調信号を増幅し、増幅した変調信号でアンテナ１２１を駆動する。また、制御回路は、通信処理部を介してデータを読み出す場合、アンテナ１２１で受信されたデータの変調信号を増幅し、増幅したデータの変調信号を復調し、復調したデータを復号する。なお、制御回路では、一般的なリーダライタで用いられる符号化方式及び変調方式が用いられ、たとえば、マンチェスタ符号化方式やＡＳＫ（振幅シフトキーイング、Amplitude Shift Keying）変調方式等周知の方式が用いられる。
【００１８】
アンテナモジュール１は、アンテナコイル１２が、リーダライタ１２０のアンテナ１２１から発信される磁界を受けアンテナ１２１と誘導結合して、携帯電話機１３０に組み込まれた記憶媒体であるメモリや通信処理部に信号を供給する。
【００１９】
アンテナコイル１２は、リーダライタ１２０のアンテナ１２１から発信される磁界を受けると、アンテナ１２１と誘導結合によって磁気的に結合され、変調された電磁波を受信して、受信信号を通信処理部等に供給する。
【００２０】
メモリや通信処理部等の回路要素は、アンテナコイル１２に流れる電流により駆動され、リーダライタ１２０との間で通信を行う。具体的に、通信処理部等は、受信された変調信号を復調し、復調したデータを復号して、復号したデータを、内部のメモリに書き込む。また、通信処理部は、リーダライタ１２０に送信するデータを内部メモリから読み出し、読み出したデータを符号化し、符号化したデータに基づいて搬送波を変調し、誘導結合によって磁気的に結合されたアンテナコイル１２を介して変調された電波をリーダライタ１２０に送信する。
【００２１】
以上、本発明に係るアンテナモジュール１として、ＲＦＩＤ用アンテナモジュールに適用した場合を例に説明したが、本発明は、ＲＦＩＤ用アンテナモジュールの他にも、たとえばＱｉ等の非接触充電用やその他のアンテナモジュールに適用してもよい。
【００２２】
［アンテナモジュール及び電子機器の構成］
図２（Ａ）及び図２（Ｂ）に示すように、アンテナモジュール１は、ＮＦＣ等のＲＦＩＤ用のアンテナであり、ほぼ長方形のアンテナ基板１１と、アンテナ基板１１の一方の面に渦巻状に形成されたアンテナコイル１２と、アンテナコイル１２の一部に重畳するように配置された磁性シート１３とを備える。アンテナコイル１２は、アンテナ基板１１ごと屈曲部１１ａで断面ほぼＬ字型になるように屈曲される。屈曲部１１ａは、たとえば長方形状のアンテナ基板１１の２つの対向する短辺のほぼ中央を結んだ直線である。屈曲部１１ａから屈曲されたアンテナコイル１２及びアンテナ基板１１は、アンテナコイル１２に流れる電流が同一方向となる一方側１２ａと、一方側１２ａのアンテナコイル１２に流れる電流とは逆方向に電流が流れる他方側１２ｂとを有する。たとえば、図２（Ｂ）に示すように、屈曲部１１ａからアンテナコイル１２及びアンテナ基板１１の一方の端部を含む側が一方側１２ａであり、屈曲部１１ｂからアンテナコイル１２及びアンテナ基板１１の他方の端部を含む側が他方側１２ｂである。リーダライタ１２０からの磁界は、図２（Ａ）及び図２（Ｂ）のＺ軸の正方向に向かって発信される。磁性シート１３は、アンテナコイル１２の他方側１２ｂの一方の面であって、リーダライタ１２０の対向面に対してアンテナコイル１２よりも遠い側の面に重畳するように配置される。磁性シート１３は、好ましくは、接着剤からなる接着層１４によってアンテナ基板１１に固定される。なお、アンテナコイル１２は、アンテナ基板１１の磁性シート１３とは反対側の面に形成されているが、これは、アンテナ基板１１と磁性シートとを接着層１４を介して固定する方がより簡単であるためであり、図２（Ｂ）とは反対側のアンテナ基板の面にアンテナコイル１２を形成して、アンテナコイル１２の上に接着層１４を形成して磁性シート１３を固定するようにしてもよいのはいうまでもない。
【００２３】
アンテナ基板１１は、絶縁性の基材であり、ポリイミドやＰＥＴ（ポリエチレンテレフタレート）等の可撓性のある材料によって形成されるフレキシブル基板であることが好ましい。
【００２４】
アンテナコイル１２は、アンテナ基板１１上に、ＣｕやＡｌ等の高導電性の金属材料等をメッキしてパターニング後エッチング等により渦巻状の配線を形成することによって形成される。
【００２５】
磁性シート１３は、Ｎｉ−Ｚｎ系フェライトの焼結体を含む。磁性シート１３は、あらかじめ薄くシート状に塗布したフェライト粒子を高温環境下で焼結させることによりシート化し、その後、所定の形状に型抜きすることにより形成される。あるいは、磁性シート１３は、あらかじめ最終形状と同形状にフェライト粒子をシート状に塗布し、焼結することにより形成してもよい。その他、磁性シート１３は、長方形断面を持った型に、フェライト粒子を詰め込み、平面視方形状の直方体にフェライト粒子を焼結し、この焼結体を薄くスライスすることにより、所定の形状を得るようにしてもよい。
【００２６】
なお、磁性シート１３は、軟磁性粉末からなる磁性粒子と結合材としての樹脂とを含んでいてもよい。
【００２７】
また、磁性粒子は、フェライト等の酸化物磁性体、センダスト、パーマロイ等のＦｅ系、Ｃｏ系、Ｎｉ系、Ｆｅ−Ｎｉ系、Ｆｅ−Ｃｏ系、Ｆｅ−Ａｌ系、Ｆｅ−Ｓｉ系、Ｆｅ−Ｓｉ−Ａｌ系、Ｆｅ−Ｎｉ−Ｓｉ−Ａｌ系等の結晶系、微結晶系磁性体、あるいはＦｅ−Ｓｉ−Ｂ系、Ｆｅ−Ｓｉ−Ｂ−Ｃ系、Ｃｏ−Ｓｉ−Ｂ系、Ｃｏ−Ｚｒ系、Ｃｏ−Ｎｂ系、Ｃｏ−Ｔａ系等のアモルファス金属磁性体の粒子を用いることができる。
【００２８】
なかでも、ＮＦＣ等のＲＦＩＤ用アンテナモジュールに用いられる磁性シート１３は、磁性材料として上述したＮｉＺｎ系フェライトが好適に用いられる。
【００２９】
結合材は、熱、紫外線照射等により硬化する樹脂等を用いることができる。結合材としては、たとえばエポキシ樹脂、フェノール樹脂、メラミン樹脂、ユリア樹脂、不飽和ポリエステル等の樹脂、あるいはシリコーンゴム、ウレタンゴム、アクリルゴム、ブチルゴム、エチレンプロピレンゴム等の周知の材料を用いることができる。なお、結合材は、上述の樹脂又はゴムに、難燃剤、反応調整剤、架橋剤又はシランカップリング剤等の表面処理剤を適量加えてもよい。
【００３０】
なお、磁性シート１３は、単一の磁性材料で構成する場合のみに限らず、２種類以上の磁性材料を、混合して用いてもよく、あるいは多層に積層して形成してもよい。また、磁性シート１３は、同一の磁性材料であっても、磁性粒子の粒径及び／又は形状を複数選択して混合してもよく、あるいは多層に積層して形成してもよい。
【００３１】
磁性シート１３は、接着剤によってアンテナ基板１１に固定され、接着層１４を形成する接着剤には、公知のものを用いることができ、接着剤に代えて両面接着テープを用いることももちろんできる。
【００３２】
ループアンテナ１２の一方側１２ａの面は、携帯電話機等の電子機器の内部に設置される内部構造物１０の側面１０ａに沿うように近接して配置される。内部構造物１０は、たとえば、電子機器に電力を供給して駆動するバッテリパックである。一般的には、バッテリパックは、金属製の外装を有しており、磁界をはねつける磁気シールド効果を有する。このようにアンテナモジュール１の一部の面を、電子機器の内部構造物１０のいずれかの面に沿うように配設し、アンテナモジュール１の他の面に磁性シート１３を重畳させることによって、磁性シート１３の端部近傍に磁束を集めてアンテナモジュール１の通信特性を向上させることができる。
【００３３】
図３（Ａ）及び図３（Ｂ）に示すように、アンテナ基板１１及びアンテナコイル１２の屈曲部１１ａをリーダライタ１２０から離間する方向へ変更してもよい。すなわち、アンテナモジュール１ａは、アンテナ基板１１と、アンテナ基板１１上を周回するように渦巻状に形成されたアンテナコイル１２とを備え、アンテナ基板１１及びアンテナコイル１２は、アンテナ基板１１の短辺側のほぼ中央に位置する屈曲部１１ａにおいて断面ほぼＬ字状に屈曲される。屈曲部１１ａから、アンテナコイル１２に流れる電流が同一の方向に流れる一方側１２ａを含む面が電子機器の長方体状の内部構造物１０の側面１０ａに沿うように近接して配置される。屈曲部１１ａから、アンテナコイル１２に流れる電流が、一方側１２ａとは逆方向に流れる側である他方側１２ｂを含む面は、リーダライタ１２０のアンテナ１２１の面にほぼ平行になるように対向する。
【００３４】
上述において、アンテナコイル１２を含むアンテナ基板１１の一方の面は、内部構造物１０の側面１０ａに沿うように近接して配置される場合に限らず、物理的に接触するように配置してもよい。また、内部構造物１０の側面１０ａは、図示したように平面である必要はなく、曲面であってもよいが、アンテナ基板１１を曲面に沿うように湾曲させてもよいが、湾曲させずに曲面の一部に近接又は接触させるようにしてもよい。
【００３５】
［動作原理］
図４を用いて、本発明が適用された一実施の形態に係る電子機器において、アンテナモジュールの通信特性が向上する原理を説明する。図４に示すように、電子機器の構成は、図２において説明したものと同様であり、リーダライタ１２０とリーダライタ１２０のアンテナ１２１を明示するものである。
【００３６】
電子機器は、アンテナモジュール１と、アンテナモジュール１の屈曲部１１ａからアンテナコイル１２の一方側１２ａを含む面が側面１０ａに沿うように近接配置された内部構造物１０を含んでいる。リーダライタ１２０のアンテナ１２１は、内部構造物１０の主面１０ｂ及びアンテナコイル１２の他方側１２ｂを含む面に対向するようにｘｙ平面上に配置され、リーダライタ１２０のアンテナ１２１が発信する磁界の磁束Ｆは、この面にほぼ垂直、すなわちｚ軸の正方向に向かって射出される。
【００３７】
内部構造物１０は、典型的には電子機器の駆動電源であるバッテリパックであり、金属缶で外装されている。リーダライタ１２０のアンテナ１２１が発信した磁界による磁束Ｆは、図４に示すように、内部構造物１０の主面１０ｂを避けるように流れ、内部構造物１０の側面１０ａに近接して配置されたアンテナモジュール１に向かって流れる。したがって、内部構造物１０の端部１０ｃ付近では、磁束密度が向上する。ここで、アンテナモジュール１には、リーダライタ１２０に対向して配置されたアンテナコイル１２の他方側１２ｂに、アンテナコイル１２よりもリーダライタ１２０のアンテナ１２１から遠い位置に磁性シート１３が配置されている。したがって、内部構造物１０の主面１０ｂに沿うようにして磁束密度が向上された磁束Ｆは、磁性シート１３により磁束密度を高められる。このようにして、アンテナモジュール１に誘導される電力は向上し、電子機器の通信特性が向上する。
【００３８】
［変形例］
上述においては、アンテナコイル１２の一方側１２ａを含む面は、内部構造物１０の側面１０ａに沿うように配置され、アンテナコイル１２の他方側１２ｂを含む面は、リーダライタ１２０のアンテナ１２１に対向するように、すなわちアンテナ１２１の面とほぼ平行になるように配置されるものとしたが、上述の動作原理に従う限り、これらの位置関係については、任意に設定することができるのはいうまでもない。
図５に示すように、アンテナモジュール１ｂは、携帯電話機１３０の筐体１３１が湾曲していることにより、屈曲部１１ａにおける屈曲の角度を９０°を超えるように設定されるようにしてもよい。また、磁束Ｆの流れる向きは、筐体１３１内部の内部構造物等の配置関係に依存するので、通信特性が最良になる方向に屈曲させてもよい。
【００３９】
［通信特性の実験］
本発明が適用された一実施の形態に係る電子機器を構成するアンテナモジュールの通信特性を実験により取得した。比較のために、アンテナ基板及びアンテナコイルを屈曲させない場合のアンテナモジュールを用いて電子機器を構成した場合を参考例として同じ条件で通信特性を取得した。通信特性は、具体的には、図６及び図７に示すように、アンテナモジュールをリーダライタに対向させて配置し、リーダライタをＹ軸の正方向へ移動させたときの結合係数ｋ値の変化をシミュレーションで求めた。
【００４０】
＜参考例＞
参考例に係るアンテナモジュールでは、図６に示すように、アンテナモジュール１ｃの磁性シート１３が重畳していない一方側１２ａを内部構造物１０として金属製のバッテリ缶の主面１０ｂに重畳させ、アンテナモジュール１ｃとリーダライタ１２０のアンテナ１２１とを対向させて、アンテナ１２１とアンテナモジュール１ｃとの相対的な位置関係を変化させたときの通信特性について評価した。
【００４１】
具体的な評価条件としては、次のようにした。すなわち、リーダライタ１２０のアンテナ１２１は、ＸＹ平面上に外径が７０ｍｍ、１．５ｍｍピッチで２ターンのループコイルとした。また、内部構造物１０はＸＹＺ軸方向で規定される寸法が６０ｍｍ×５０ｍｍ×５ｍｍのアルミブロックとした。アンテナモジュール１ｃのアンテナコイル１２は、ＸＹ軸方向で規定される外形が５０ｍｍ×４０ｍｍ、１ｍｍピッチで、４ターンのループコイルである。アンテナモジュール１ｃの他方側１２ｂに配置された磁性シート１３は、非透磁率１２０で、厚さ０．２ｍｍのフェライトシートを保護フィルムで覆ったものを用い、接着層１４を介して接着した。
【００４２】
内部構造物１０の主面１０ｂとアンテナコイル１２との距離は０．５ｍｍである。さらに、Ｚ軸方向で規定される、リーダライタ１２０のアンテナ１２１からアンテナコイル１２までの距離は４０ｍｍとした。
【００４３】
ここで、リーダライタ１２０のアンテナ１２１とアンテナコイル１２との相対的な位置関係を示す値として、オフセットａを用いた。すなわち、オフセットａは、リーダライタ１２０のアンテナ１２１の中心１２２を通るＺ軸方向の軸線１２３と内部構造物１０の中心（Ｏ）１０ｄを通るＺ軸方向の軸線１０ｅとを想定し、両軸線１２３，１０ｅが一致した位置から、図６中Ｙ軸の正方向にリーダライタ１２０を移動させたときの、両軸線１２３，１０ｅ間の距離である。
【００４４】
以上のような条件の下、ａの値を−３０ｍｍから３０ｍｍまで変化させたときの、アンテナコイル１２の結合係数ｋをシミュレーションで求めた。結合係数ｋの変化を図８に示す。
【００４５】
＜実施例＞
本実施例では、図７に示すように、アンテナコイル１２の一方側１２ａを含む面が内部構造物１０の側面１０ａに沿うように近接配置されたアンテナモジュール１を用いた。アンテナコイル１２の他方側１２ｂには、磁性シート１３が貼着されている。そして、図６の参考例と同様に、アンテナモジュール１とリーダライタ１２０とを対向させて、リーダライタ１２０とアンテナモジュール１との相対的な位置関係を変化させたときの通信特性について評価した。
【００４６】
具体的な評価条件は、リーダライタ１２０、内部構造物１０、リーダライタ１２０のアンテナ１２１からアンテナコイル１２までの距離については、上述した参考例と同じである。なお、実施例のアンテナモジュール１は、参考例のアンテナモジュール１ｃと同じものを短辺（４０ｍｍ）のほぼ中央で屈曲させたものを用いた。
【００４７】
以上のような条件の下、ａの値を−３０ｍｍから３０ｍｍまで変化させたときの、アンテナコイル１２の結合係数ｋをシミュレーションで求めた。結合係数ｋの変化を参考例のプロットと合わせて図８に示す。
実施例のアンテナモジュール１を用いても参考例のアンテナモジュール１ｃを用いても結合係数ｋは同等であることが示された。
【００４８】
すなわち、実施例のアンテナモジュール１を用いて、内部構造物１０の側面１０ａに沿うように、アンテナコイル１２の一方側１２ａを含む面を近接して配置することによって、通信特性が維持され、アンテナモジュールの特性を損なうことなく、バッテリ缶（内部構造物１０）の厚さ方向に薄型化を図ることができ、狭小化されたスペースにも搭載可能なアンテナモジュールを用いた電子機器を提供することができる。また、バッテリ缶のような内部構造物は、電子機器の筐体から脱着可能とする場合があり、アンテナモジュール１の一方側１２ａを含む面を内部構造物１０の側面に接触させないように近接させて配置した場合には、アンテナモジュール１が内部構造物１０の着脱を妨げないようにすることができる。
【符号の説明】
【００４９】
１，１ａ，１ｂ，１ｃ  アンテナモジュール、１０  内部構造物、１０ａ  側面、１０ｂ  主面、１０ｃ  端部、１１  アンテナ基板、１１ａ  屈曲部、１２  アンテナコイル、１２ａ  一方側、１２ｂ  他方側、１３  磁性シート、１３ａ  端部、１４  接着層、１２０  リーダライタ、１２１  アンテナ、１３０  携帯電話機、１３１  筐体
【図１】
2015046768.tif 000003
【図２】
2015046768.tif 000004
【図３】
2015046768.tif 000005
【図４】
2015046768.tif 000006
【図５】
2015046768.tif 000007
【図６】
2015046768.tif 000008
【図７】
2015046768.tif 000009
【図８】
2015046768.tif 000010